(57)【特許請求の範囲】
【請求項１】
歯先に硬質の材料からなる切削チップを備えた帯鋸刃の製造方法であって、左右方向にアサリの振り出し加工を行った左右のアサリ歯の歯高寸法よりも直歯の歯高寸法を大きく設け、前記左右のアサリ歯における歯先の稜線は、左右のアサリ歯によって切削されて連続的に発生する切粉が左右方向へ突出することを抑制するために、左右のアサリ振り出し加工を行った後に研削加工を行うことにより、帯鋸刃の走行方向及び帯鋸刃の切込み方向に対して直交して形成してあることを特徴とする帯鋸刃の製造方法。
【請求項２】
請求項１に記載の帯鋸刃の製造方法において、直歯は切削チップの両側面に傾斜面を備えたベベル歯であり、前記左右のアサリ歯における歯先の稜線は、帯鋸刃の走行方向から見て前記直歯における両側の傾斜したベベル部稜線の中央付近を横断していることを特徴とする帯鋸刃の製造方法。
【請求項３】
請求項１又は２に記載の帯鋸刃の製造方法において、前記直歯と左右のアサリ歯の歯高寸法の差は、帯鋸刃の使用により直歯が０．１ｍｍ以上歯高方向に磨耗することを許容する差であることを特徴とする帯鋸刃の製造方法。
【発明の詳細な説明】
【技術分野】
【０００１】
本発明は、帯鋸刃の製造方法に係り、さらに詳細には、左右のアサリ歯における歯先の稜線を、帯鋸刃の走行方向及び切込み方向に対して直交する方向に形成した帯鋸刃の製造方法に関する。
【背景技術】
【０００２】
従来より、例えば金属製の大きなワークピースを切断する装置として、帯鋸盤が使用されている。この帯鋸盤に使用される帯鋸刃は、材質的には、高速度工具鋼や超硬合金を刃先に、強靱性合金鋼を胴部に使用した、いわゆるバイメタル帯鋸刃が、多く使用されている。
【０００３】
歯先に高速度工具鋼を使用した帯鋸刃の場合は、バイメタル状の原材料を用いて、歯切り加工を行い、その後にアサリの振り出し加工を行うのが一般的である。
【０００４】
また、歯先に超硬合金を使用した帯鋸刃の場合は、アサリの振り出し加工（曲げ加工）を行うものと、アサリの振り出し加工を行わずに、研摩加工にて、超硬チップを撥形状に形成して、アサリに相当するクリアランスを設けるものがある。
【０００５】
歯先に超硬合金を使用したアサリの振り出し加工を行うタイプの帯鋸刃では、ガレットが形成された台金と呼ばれる原材料を用いて、歯先となる部分に超硬合金のチップを接合した後に、側面、逃げ面、スクイ面などの研摩加工を行い、その後に、アサリの振り出し加工を行うのが一般的である。
【０００６】
なお、本発明に関係すると思われる文献として特許文献１がある。
【先行技術文献】
【特許文献】
【０００７】
【特許文献１】特開平６−１５５１５８号公報
【発明の概要】
【発明が解決しようとする課題】
【０００８】
前記特許文献１に記載の帯鋸刃１は、図１に示すごとき構成である。すなわち、帯鋸刃１は、帯状の胴部材３の一側に、直歯５、右方向にアサリの振り出し加工を行った右アサリ歯７及び左アサリ歯９を備えた構成である。そして、前記直歯５及び左右のアサリ歯７、９の歯先には、例えば超硬合金などの硬質の材料からなる切削チップ（歯先チップ）１１、１３、１５が溶接等によって一体的に備えられている。
【０００９】
前記直歯５に備えた歯先チップ（切削チップ）１１は、左右両側に傾斜面を形成したベベル歯に形成してある。左右のアサリ歯７、９における歯先チップ１３、１５の歯先の稜線１３Ａ、１５Ａはそれぞれ左右方向にβ度傾斜してある。前記歯先チップ１３、１５の各歯先稜線１３Ａ、１５Ａは、帯鋸刃１の走行方向から見て、図１に示すように、前記直歯５における歯先チップ１１の左右のベベル部稜線１１Ａの上部付近を横断している。そして、前記歯先チップ１３、１５のそれぞれの内側コーナー部１３Ｂ、１５Ｂは、前記直歯５の歯先チップ１１における歯先稜線１１Ｂより寸法ａだけ小さく形成してある。換言すれば、左右のアサリ歯７、９の歯高寸法（基準位置から歯先までの高さ寸法）は直歯５の歯高寸法より小さなものである。
【００１０】
ところで、左右のアサリ歯７、９のアサリ振り出し加工を行うとき、左右のアサリ歯７、９のコーナー部１３Ｂ、１５Ｂが、傾斜βにより、歯先チップ１１の歯先稜線１１Ｂに近づき、場合によっては、前記歯先チップ１３、１５の内側コーナー部１３Ｂ、１５Ｂが歯先チップ１１の歯先稜線１１Ｂから突出することがある。したがって、左右のアサリ歯７、９のアサリ振り出し加工を行う前には、左右のアサリ歯７、９を、直歯５よりも歯高寸法を予め寸法ｃだけ小さく加工する必要があるものである。
【００１１】
上記構成のごとく、直歯５がベベル歯である場合には、左右のアサリ歯７、９における内側コーナー部１３Ｂ、１５Ｂが、帯鋸刃１の走行方向から見たときに、直歯５の歯先稜線１１Ｂから突出しないことが重要である。左右のアサリ歯７、９の内側コーナー部１３Ｂ、１５Ｂが直歯５の歯先稜線１１Ｂから突出した構成においては、直歯５に比較して左右のアサリ歯７、９における内側コーナー部１３Ｂ、１５Ｂが先行してワークに切り込むこととなり、内側コーナー部１３Ｂ、１５Ｂに作用する左右方向の分力によって切り曲りを生じ易くなるものである。
【００１２】
また、前記構成の帯鋸刃１においては、ベベル歯である直歯５における左右のベベル部稜線１１Ａを、左右のアサリ歯７、９における歯先稜線１３Ａ、１５Ａが横断していることが重要である。すなわち、左右のベベル部稜線１１Ａの上端１１Ｃよりも上側を、左右のアサリ歯７、９の歯先稜線１３Ａ、１５Ａが横断する構成の場合には、左右のアサリ歯７、９に比較して直歯５であるベベル歯の働きが大きくなり、帯鋸刃１によって切削される切削溝の幅方向の分割が不均衡になり、切り曲りを生じ易くなるものである。
【００１３】
ところで、前記帯鋸刃１を左右方向から見た側面図および歯先側から見た底面図で表わすと、図２（Ａ）、（Ｂ）のごとく表わすことができる。すなわち、左右のアサリ歯７、９は直歯５よりも予め寸法ｃだけ小さく形成し、左右のアサリ振り出し加工により、高低差ａになるものであるから、左右のアサリ歯７、９における歯先稜線１３Ａ、１５Ａには自然に横掬い角αが付くことになる。すなわち、前記歯先稜線１３Ａ、１５Ａは、帯鋸刃１の走行方向（矢印Ａ方向）に対して、内側コーナー部１３Ｂ、１５Ｂよりも外側コーナー部１３Ｃ、１５Ｃが後側（図２（Ｂ）において左側）になるように傾斜することになる。したがって、左右のアサリ歯７、９における歯先稜線１３Ａ、１５Ａは、前記横掬い角αと歯線傾き角βの傾斜を有することになる。
【００１４】
前記帯鋸刃１を実際的な帯鋸刃に適用するにあたり、図３に示すように、胴部材３の厚さを１．３ｍｍ、直歯５であるベベル歯の歯先稜線１１Ｂの寸法を０．７ｍｍベベル部稜線１１Ａの傾斜角を４５°、左右のアサリ歯７、９のアサリ振り出し量を０．４ｍｍと想定すると、例えば右アサリ歯７における内側コーナー部１３Ｂが直歯５の歯先稜線１１Ｂから突出しないようにするには、アサリ振り出し加工を行う前における左右のアサリ歯７、９と直歯５との歯高寸法の差すなわち前記寸法ｃを０．０６ｍｍにする必要がある。
【００１５】
次に、前述と同条件において、左右のアサリ歯７、９における歯先稜線１３Ａ、１５Ａが直歯５であるベベル歯におけるベベル部稜線１１Ａの上端１１Ｃよりも下側を横断するには、前記寸法ｃを、図４に示すように、０．２３ｍｍに設定する必要がある。この場合、前述した寸法ａは、０．１７ｍｍとなる。
【００１６】
上記説明より明らかなように、特許文献１に記載の帯鋸刃１を実際的な帯鋸刃に適用する場合、前述の寸法ｃは０．０６ｍｍ〜０．２３ｍｍの範囲に設定する必要がある。なお、左右のアサリ歯７、９における歯先稜線１３Ａ、１５Ａが直歯５のベベル部稜線１１Ａを横断する位置は、ベベル部稜線１１Ａの中央部付近を横断することが望ましいものである。
【００１７】
そこで、前述と同条件において、左右のアサリ歯７、９における歯先稜線１３Ａ、１５Ａがベベル歯（直歯）５のベベル部稜線１１Ａの中央部付近を横断する構成とする場合、図５に示すように、前記寸法ｃは０．１１ｍｍとなり、寸法ａは０．０５ｍｍとなる。したがって、帯鋸刃１の使用により、直歯５が歯高方向に磨耗したときの余裕が０．０５ｍｍしかないこととなり、帯鋸刃１の寿命を考慮すると望ましい寸法ではない。
【００１８】
また、前記帯鋸刃１においては、左右のアサリ歯７、９によって切削されて連続的に発生する切粉１７（図６参照）は、左右のアサリ歯７、９の走行方向前側のガレット１９内において渦巻き状に巻かれる傾向にある。しかし、左右のアサリ歯７、９における歯先稜線１３Ａ、１５Ａは、帯鋸刃１の走行方向（矢印Ａ方向）に対して横掬い角αだけ傾斜しているので、前記切粉１７は、図６（Ｂ）に示すように、帯鋸刃１の走行方向に対して直交する左右方向へ突出する傾向にある。
【００１９】
したがって、前記切粉１７は、帯鋸刃１によって切削した切削溝内においてワークの切断面を擦ることとなり、切削抵抗が大きくなると共に切断面を荒らすこととなるものである。
【課題を解決するための手段】
【００２０】
本発明は、前述のごとき従来の問題に鑑みてなされたもので、歯先に硬質の材料からなる切削チップを備えた帯鋸刃の製造方法であって、左右方向にアサリの振り出し加工を行った左右のアサリ歯の歯高寸法よりも直歯の歯高寸法を大きく設け、前記左右のアサリ歯における歯先の稜線は、左右のアサリ歯によって切削されて連続的に発生する切粉が左右方向へ突出することを抑制するために、左右のアサリ振り出し加工を行った後に研削加工を行うことにより、帯鋸刃の走行方向及び帯鋸刃の切込み方向に対して直交して形成してあることを特徴とするものである。
【００２１】
また、前記帯鋸刃の製造方法において、直歯は切削チップの両側面に傾斜面を備えたベベル歯であり、前記左右のアサリ歯における歯先の稜線は、帯鋸刃の走行方向から見て前記直歯における両側の傾斜したベベル部稜線の中央付近を横断していることを特徴とするものである。
【００２２】
また、前記帯鋸刃の製造方法において、前記直歯と左右のアサリ歯の歯高寸法の差は、帯鋸刃の使用により直歯が０．１ｍｍ以上歯高方向に磨耗することを許容する差であることを特徴とするものである。
【発明の効果】
【００２３】
本発明によれば、左右のアサリ歯の振り出し加工を行った後に、左右のアサリ歯の歯先に備えた歯先チップ（切削チップ）の研磨加工を行って、歯先稜線を、帯鋸刃の走行方向及び切込み方向に対して直交する形態に加工するので、左右のアサリ歯における歯先稜線を、帯鋸刃の走行方向に対して直交する方向に形成することが容易であると共に、左右のアサリ歯の歯高寸法の調節も容易に行い得るものである。
【００２４】
そして、左右のアサリ歯における歯先稜線が帯鋸刃の走行方向に対して直交してあることにより、切粉が側面方向へ突出するようなことがなく、前述したごとき従来の問題を解消し得るものである。
【図面の簡単な説明】
【００２５】
【図１】従来の帯鋸刃の構成を示す説明図である。
【図２】従来の帯鋸刃の構成を示す説明図である。
【図３】従来の帯鋸刃における直歯と左右のアサリ歯との関係を示す説明図である。
【図４】従来の帯鋸刃における直歯と左右のアサリ歯との関係を示す説明図である。
【図５】従来の帯鋸刃における直歯と左右のアサリ歯との関係を示す説明図である。
【図６】従来の帯鋸刃における左右のアサリ歯によって切削された切粉の挙動の説明図である。
【図７】本発明の実施形態に係る帯鋸刃の構成を示す説明図である。
【図８】本発明の実施形態に係る帯鋸刃の構成を示す説明図である。
【発明を実施するための形態】
【００２６】
以下、図面を用いて本発明の実施形態に係る帯鋸刃について説明するに、前述した従来の帯鋸刃１と同一機能を奏する構成要素には同一符号を付することとして重複した説明は省略する。
【００２７】
図７を参照するに、本発明の実施形態に係る帯鋸刃１は、前述した従来の帯鋸刃と同様に、胴部材３の一側に直歯５、右アサリ歯７、左アサリ歯９を備えている。前記直歯５及び左右のアサリ歯７、９の先端には、従来の帯鋸刃と同様に、例えば超硬合金などのごとき硬質材料からなる歯先チップ（切削チップ）１１、１３、１５が溶接等によって一体的に備えられている。そして、前記直歯５は、前記歯先チップ１１の左右両側に傾斜面を形成することによってベベル部稜線１１Ａを備えたベベル歯に形成してある。なお、直歯（ベベル歯）５の構成は、前述した従来の構成と同一であるから、同一機能を奏する構成部分には同一符号を付することとして、より詳細な説明は省略する。
【００２８】
前記左右のアサリ歯７、９における歯先稜線１３Ａ、１５Ａは、図８（Ｂ）に示すように、帯鋸刃１の走行方向（矢印Ａ方向）に対して直交し、かつ図７に示すように、ワークに対する帯鋸刃１の切込み方向（矢印Ｂ方向）に対して直交する方向に形成してある。そして、左右のアサリ歯７、９の歯高寸法は、図７に示すように、直歯５の歯高寸法より小さく構成してあり、左右のアサリ歯７、９における各歯先稜線１３Ａ、１５Ａは、帯鋸刃１の走行方向から見て、図７に示すように、直歯５におけるベベル部稜線１１Ａの中央部付近を横断している。したがって、帯鋸刃１によってワークを切断するとき、直歯５、左右のアサリ歯７、９の切削抵抗をバランスよく配分することが可能であり、安定した切削を行うことができるものである。
【００２９】
前述のように、左右のアサリ歯７、９における歯先稜線１３Ａ、１５Ａが、帯鋸刃１の走行方向（矢印Ａ方向）及び切込み方向（矢印Ｂ方向）に対して直交する方向に形成してあることにより、左右のアサリ歯７、９によって切削されて連続的に発生する切粉は、ガレット１９内に渦巻き状に巻き込まれるものの、従来の帯鋸刃のごとく、帯鋸刃１の走行方向に対して直交する左右方向へ突出することを抑制でき、前述したごとき従来の問題を解消することができるものである。
【００３０】
ところで、本発明の実施形態に係る帯鋸刃１の製造に当っては、直歯５及び左右のアサリ歯７、９の歯高寸法は同一寸法に形成してもよく、また、左右のアサリ歯７、９の歯高寸法を、直歯５の歯高寸法よりも予め小さく形成してもよいものである。そして、直歯５に対して左右のアサリ歯７、９のアサリ振り出し加工（曲げ加工）を行った後、直歯５における歯先チップ１１及び左右のアサリ歯７、９における歯先チップ１３、１５の研磨（研削）加工を行うものである。
【００３１】
直歯５及び左右のアサリ歯９，７の歯高寸法を同一寸法に形成した場合には、先ず、左右のアサリ歯となる鋸歯を左右に振り出し加工を行う。次に、アサリの振り出し加工を行った後の左右のアサリ歯の歯先に備えた切削チップの逃げ面に研磨加工を行ない、掬い面研磨後の左右のアサリ歯における歯先の稜線が、帯鋸刃の切込み方向に対して直交する形態に加工する。そして、アサリの振り出し加工を行った後の左右のアサリ歯の歯先に備えた切削チップの掬い面に研磨加工を行ない、左右のアサリ歯における歯先の稜線が、帯鋸刃の走行方向および切込み方向に対して直交する形態に加工する。なお、前記、左右のアサリ歯における歯先の稜線は、アサリの振り出し加工を行った後の左右のアサリ歯の歯先に備えた切削チップの逃げ面の研磨加工、あるいは、掬い面の研磨加工を行なう時に、直歯となる鋸歯よりも歯高寸法を小さくする。
【００３２】
又は、先ず、左右のアサリ歯となる鋸歯を左右に振り出し加工を行う。次に、アサリの振り出し加工を行った後の左右のアサリ歯の歯先に備えた切削チップの掬い面に研磨加工を行ない、逃げ面研磨後の左右のアサリ歯における歯先の稜線が、帯鋸刃の走行方向に対して直交する形態に加工する。そして、アサリの振り出し加工を行った後の左右のアサリ歯の歯先に備えた切削チップの逃げ面に研磨加工を行ない、左右のアサリ歯における歯先の稜線を、帯鋸刃の切込み方向および走行方向に対して直交する形態に加工する。なお、前記、左右のアサリ歯における歯先の稜線は、アサリの振り出し加工を行った後の左右のアサリ歯の歯先に備えた切削チップの逃げ面の研磨加工、あるいは、掬い面の研磨加工を行なう時に、直歯となる鋸歯よりも歯高寸法を小さくする。
【００３３】
前述のごとく帯鋸刃を構成するに際し、直歯５における歯先チップ１１のベベル部稜線１１Ａの水平に対する傾斜角度（ベベル角度）は、３０°〜６０°の範囲が望ましく、左右の側面方向と切込み方向の力のバランスを考慮すると、上記ベベル角度は４５°が望ましいものである。そして、ベベル歯（直歯）５における歯先稜線１１Ｂの寸法は、胴部材３の厚さ寸法の４０〜７０％の範囲が好ましく、歯先稜線１１Ｂの部分のチッピングやベベル歯５に作用する切削抵抗を考慮すると、前記厚さ寸法の５５〜６５％がより好ましいものである。
【００３４】
前述したごとく、左右のアサリ歯７、９の振り出し加工（曲げ加工）を行った後に、左右のアサリ歯７、９に備えた歯先チップ１３、１５の研削加工を行うものであるから、歯先稜線１３Ａ、１５Ａを、帯鋸刃１の走行方向（矢印Ａ方向）及び切込み方向（矢印Ｂ方向）に対して直交する形態に形成することが容易である。この際、左右のアサリ歯７、９における歯先チップ１３、１５の掬い面は、帯鋸刃１の走行方向に対して直交する左右方向に平行な面に形成されるものである。したがって、切削によって連続的に発生する切粉が左右方向へ突出するようなことがないものである。
【００３５】
既に理解されるように、左右のアサリ歯７、９における歯先チップ１３、１５は、振り出し加工を行った後に研削加工するものであるから、左右のアサリ歯７、９の歯高寸法の調節が容易であり、直歯５と左右のアサリ歯７、９との歯高寸法の差をより正確に設定することができる。すなわち、上記歯高寸法の差を所望の寸法とすることができる。この場合、帯鋸刃の寿命時には、直歯５には０．１ｍｍ程度の磨耗が生じるので、前記歯高寸法の差は０．１ｍｍ以上とすることが望ましいものである。換言すれば、歯高寸法の差は、直歯５が０．１ｍｍ以上歯高方向に磨耗することを許容する範囲の差であることが望ましいものである。
【符号の説明】
【００３６】
１    帯鋸刃
３    胴部材
５    直歯
７    右アサリ歯
９    左アサリ歯
１１，１３，１５    切削チップ（歯先チップ）
１１Ａ    ベベル部稜線
１１Ｂ，１３Ａ，１５Ａ    歯先稜線
１１Ｃ    上端
１３Ｂ，１５Ｂ    内側コーナー部
１３Ｃ，１５Ｃ    外側コーナー部
１７    切粉
１９    ガレット
【図１】
0005865439.tif 000002
【図２】
0005865439.tif 000003
【図３】
0005865439.tif 000004
【図４】
0005865439.tif 000005
【図５】
0005865439.tif 000006
【図６】
0005865439.tif 000007
【図７】
0005865439.tif 000008
【図８】
0005865439.tif 000009